(57)【要約】【課題】カメラ本体に対してレンズを強固に取り付けることができるカメラのレンズ取付装置を提供する。【解決手段】カメラ本体１１にレンズ２１を取り付けるための取付装置３であって、カメラの装着部１２に設けられたバヨネットマウント３１と、バヨネットマウントの外側に被さるように設けられ、当該バヨネットマウントに対して、少なくともレンズを着脱可能な第１の位置とレンズをロック可能な第２の位置との間において回動可能にバヨネットマウントにねじ結合され、外周面に軸方向に沿う複数の鋸歯状ラチェット溝３２４が形成されたマウントリング３２と、マウントリングの締め付け方向に弾性付勢された状態でカメラ本体に回動可能に設けられ、マウントリングを締め付け方向に回動させたときは弾性に抗して先端の爪がラチェット溝を超えるように回動し、マウントリングを締め付け方向とは反対方向に回動させたときは弾性に従って先端の爪がラチェット溝に係合するラチェット爪３３と、を備える。【選択図】  図５
2004271690.tif 000002
【特許請求の範囲】
【請求項１】
カメラ本体にレンズを取り付けるための取付装置であって、
前記カメラの装着部に設けられたバヨネットマウントと、
前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に軸方向に沿う複数の鋸歯状ラチェット溝が形成されたマウントリングと、
前記マウントリングの締め付け方向に弾性付勢された状態で前記カメラ本体に回動可能に設けられ、前記マウントリングを締め付け方向に回動させたときは前記弾性に抗して先端の爪が前記ラチェット溝を超えるように回動し、前記マウントリングを締め付け方向とは反対方向に回動させたときは前記弾性に従って先端の爪が前記ラチェット溝に係合するラチェット爪と、を備えたカメラのレンズ取付装置。
【請求項２】
前記ラチェット爪に、当該ラチェット爪を前記弾性に抗して回動させるレバーが設けられている請求項１記載のカメラのレンズ取付装置。
【請求項３】
カメラ本体にレンズを取り付けるための取付装置であって、
前記カメラの装着部に設けられたバヨネットマウントと、
前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合されたマウントリングと、
前記カメラ本体の前記マウントリングの近傍に設けられ、前記マウントリングの外周面との間で当該マウントリングを締め付け方向とは反対方向に向かって鋭利となる楔状隙間を形成するブロックと、
前記カメラ本体に回動可能に設けられ、前記楔状隙間に係合する弾性を有する楔状部材が連結され、一方に回動させると前記楔状部材が前記楔状隙間に係合し、他方に回動させると前記楔状部材が前記楔状隙間から引き抜かれる操作レバーと、を備えたカメラのレンズ取付装置。
【請求項４】
カメラ本体にレンズを取り付けるための取付装置であって、
前記カメラの装着部に設けられバヨネットマウントと、
前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に回動レバーを有するマウントリングと、
前記カメラ本体に固定され、前記マウントリングの回動範囲において前記回動レバーが通過可能な長孔が形成された係止用パネルと、を備え、
前記マウントリングの回動レバーは、前記マウントリングに固定された軸部と、当該軸部に螺合して前記係止用パネルに圧着する先端部とを有するカメラのレンズ取付装置。
【請求項５】
カメラ本体にレンズを取り付けるための取付装置であって、
前記カメラの装着部に設けられバヨネットマウントと、
前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に複数の係合凹部が形成されたマウントリングと、
前記マウントリングに向かって弾性付勢された状態で前記カメラ本体に設けられ、前記マウントリングの係合凹部に係合可能なボールプランジャーと、を備えたカメラのレンズ取付装置。
【発明の詳細な説明】
【０００１】
【発明の属する技術分野】
本発明は、ビデオカメラなどの各種カメラの本体にレンズを着脱可能に装着するためのレンズ取付装置に関し、特に製造工程の検査用カメラやモニタリングカメラのように振動を受ける環境下で使用されるカメラに適用して好ましいレンズ取付装置に関する。
【０００２】
【従来の技術】
この種のビデオカメラの本体に交換用レンズを取り付けるための取付装置として、バヨネットマウント及びマウントリングを採用したものが知られている。
【０００３】
【発明が解決しようとする課題】
しかしながら、バヨネットマウント及びマウントリングを採用したレンズ取付装置は、バヨネットマウントとマウントリングとの間にレンズの基端部に形成されたバヨネット爪を挟んだ状態で、バヨネットマウントの外周面に形成されたネジとマウントリングの内周面に形成されたネジとを締め付けることで、レンズを取り付ける構造であるため、締め付け力が弱いと振動等により緩み、レンズが強固に保持されないといった問題があった。特に、カメラが振動を受ける環境下で使用される場合には、この問題が顕著であった。
【０００４】
【課題を解決するための手段】
本発明は、カメラ本体に対してレンズを強固に取り付けることができるカメラのレンズ取付装置を提供することを目的とする。
（１）本発明の第１の観点によれば、カメラ本体にレンズを取り付けるための取付装置であって、前記カメラの装着部に設けられたバヨネットマウントと、前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に軸方向に沿う複数の鋸歯状ラチェット溝が形成されたマウントリングと、前記マウントリングの締め付け方向に弾性付勢された状態で前記カメラ本体に回動可能に設けられ、前記マウントリングを締め付け方向に回動させたときは前記弾性に抗して先端の爪が前記ラチェット溝を超えるように回動し、前記マウントリングを締め付け方向とは反対方向に回動させたときは前記弾性に従って先端の爪が前記ラチェット溝に係合するラチェット爪と、を備えたカメラのレンズ取付装置が提供される。
【０００５】
この場合、特に限定はされないが、前記ラチェット爪に、当該ラチェット爪を前記弾性に抗して回動させるレバーを設けることがより好ましい。
【０００６】
本発明のカメラのレンズ取付装置では、レンズの基端部をバヨネットマウントとマウントリングとの間に挟んだ状態で、バヨネットマウントに対してマウントリングを締め付け方向に回動させると、カメラ本体に回動可能に設けられたラチェット爪はマウントリングの外周面に形成された鋸歯状ラチェット溝を超えるように回動するが、マウントリングをきつく締め付けてしまえば、当該マウントリングを逆方向（すなわち、緩む方向）に回動させようとしてもラチェット爪が鋸歯状ラチェット溝に係合し、マウントリングの緩みを阻止する。これにより、カメラ本体又はレンズに振動などが加わってもバヨネットマウントとマウントリングとの緩みが防止され、レンズを強固に保持することができる。
【０００７】
なお、ラチェット爪に、当該ラチェット爪を弾性に抗して回動させるレバーを設け、当該レバーを操作してラチェット爪と鋸歯状ラチェット溝との係合を解いた状態でマウントリングを緩めれば、カメラ本体からレンズを容易に取り外すことができる。
（２）本発明の第２の観点によれば、カメラ本体にレンズを取り付けるための取付装置であって、前記カメラの装着部に設けられたバヨネットマウントと、前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合されたマウントリングと、前記カメラ本体の前記マウントリングの近傍に設けられ、前記マウントリングの外周面との間で当該マウントリングを締め付け方向とは反対方向に向かって鋭利となる楔状隙間を形成するブロックと、前記カメラ本体に回動可能に設けられ、前記楔状隙間に係合する弾性を有する楔状部材が連結され、一方に回動させると前記楔状部材が前記楔状隙間に係合し、他方に回動させると前記楔状部材が前記楔状隙間から引き抜かれる操作レバーと、を備えたカメラのレンズ取付装置が提供される。
【０００８】
本発明のカメラのレンズ取付装置では、レンズの基端部をバヨネットマウントとマウントリングとの間に挟んだ状態で、バヨネットマウントに対してマウントリングを締め付け方向に回動させてきつく締め付けたのち、操作レバーを用いて楔状部材を楔状隙間に係合させれば、マウントリングを緩める方向に回動させようとしても楔状部材が楔状隙間に食い込むこととなるので、マウントリングの緩みを阻止することができる。これにより、カメラ本体又はレンズに振動などが加わってもバヨネットマウントとマウントリングとの緩みが防止され、レンズを強固に保持することができる。
【０００９】
なお、操作レバーを用いて楔状部材を楔状隙間から引き抜いたのちマウントリングを緩めれば、カメラ本体からレンズを容易に取り外すことができる。
（３）本発明の第３の観点によれば、カメラ本体にレンズを取り付けるための取付装置であって、前記カメラの装着部に設けられバヨネットマウントと、前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に回動レバーを有するマウントリングと、前記カメラ本体に固定され、前記マウントリングの回動範囲において前記回動レバーが通過可能な長孔が形成された係止用パネルと、を備え、前記マウントリングの回動レバーは、前記マウントリングに固定された軸部と、当該軸部に螺合して前記係止用パネルに圧着する先端部とを有するカメラのレンズ取付装置が提供される。
【００１０】
本発明のカメラのレンズ取付装置では、レンズの基端部をバヨネットマウントとマウントリングとの間に挟み、回動レバーの先端部を緩めた状態で、バヨネットマウントに対してマウントリングを締め付け方向に回動させてきつく締め付けたのち、回動レバーの先端部を締め付けて係止用パネルに圧着させれば、マウントリングを緩める方向に回動させようとしても回動レバーの先端部と係止用パネルとが圧着されているので、マウントリングの緩みを阻止することができる。これにより、カメラ本体又はレンズに振動などが加わってもバヨネットマウントとマウントリングとの緩みが防止され、レンズを強固に保持することができる。
【００１１】
なお、回動レバーの先端部を緩めて係止用パネルとの圧着を解除すれば、カメラ本体からレンズを容易に取り外すことができる。
（４）本発明の第４の観点によれば、カメラ本体にレンズを取り付けるための取付装置であって、前記カメラの装着部に設けられバヨネットマウントと、前記バヨネットマウントの外側に被さるように設けられ、当該バヨネットマウントに対して、少なくとも前記レンズを着脱可能な第１の位置と前記レンズをロック可能な第２の位置との間において回動可能に前記バヨネットマウントにねじ結合され、外周面に複数の係合凹部が形成されたマウントリングと、前記マウントリングに向かって弾性付勢された状態で前記カメラ本体に設けられ、前記マウントリングの係合凹部に係合可能なボールプランジャーと、を備えたカメラのレンズ取付装置が提供される。
【００１２】
本発明のカメラのレンズ取付装置では、レンズの基端部をバヨネットマウントとマウントリングとの間に挟んだ状態で、バヨネットマウントに対してマウントリングを締め付け方向に回動させると、ボールプランジャーはマウントリングの係合凹部を超えながら出没するが、マウントリングをきつく締め付けてしまえば、当該マウントリングを逆方向（すなわち、緩む方向）に回動させようとしてもボールプランジャーが係合凹部に係合し、マウントリングの緩みを阻止する。これにより、カメラ本体又はレンズに振動などが加わってもバヨネットマウントとマウントリングとの緩みが防止され、レンズを強固に保持することができる。
【００１３】
なお、大きな力をもってマウントリングを緩めれば、カメラ本体からレンズを取り外すことができる。
【００１４】
【発明の実施の形態】
以下、本発明の実施形態を図面に基づいて説明する。
図１は本発明の実施形態に係るカメラを示す正面図、図２は本発明の実施形態に係るカメラ本体のレンズ装着部を示す斜視図、図３は本発明の実施形態に係るレンズの基端部を示す（Ａ）正面図、（Ｂ）側面図、図４は本発明の実施形態に係るカメラ本体（バヨネットマウント及びマウントリング）とレンズ基端部を示す断面図である。
【００１５】
これら図１〜図４を参照しながら本発明の第１〜第４実施形態に共通するバヨネットマウント３１及びマウントリング３２によるレンズの取付構造を説明する。図１に示すように、カメラ１はカメラ本体１１とレンズ２１とを有し、これらカメラ本体１１の装着部１２及びレンズ２１は取付装置３により着脱可能とされている。この取付装置３は、図２に示すようにカメラ本体１１側に設けられたバヨネットマウント３１及びマウントリング３２と、図３に示すようにレンズ２１側の基端部に設けられたバヨネット爪２２とにより構成される。
【００１６】
バヨネットマウント３１はカメラ本体１１にネジなどを用いて固定され、外周面にはマウントリング３２の内周面に形成されたネジ３２１と螺合するネジ３１１が形成されている。これにより、バヨネットマウント３１に対してマウントリング３２を締め付けたり緩めたりすることができる。なお、マウントリング３２の外周面から突出する回動レバー４３は、マウントリング３２を締め付けたり緩めたりする際にユーザに把持されて用いられるレバーである。
【００１７】
マウントリング３２はバヨネットマウント３１の外側に被さるようにしてねじ結合（ネジ３１１，３２１）されているが、さらにその開口部３２２には、レンズ２１の基端部に形成された３つのバヨネット爪２２を受容する３つの切り欠き部３２３が形成されている。これにより、レンズ２１の基端部に形成された３つのバヨネット爪２２のそれぞれを、これら３つの切り欠き部３２３に位置合わせて挿入したのち、回動レバー４３を把持するなどしてマウントリング３２を締め付けることで、バヨネット爪２２がマウントリング３２の切り欠き部３２３が形成されていない部分とバヨネットマウント３１との間で挟持された状態でねじ結合により締め付けられることになる。
【００１８】
以上が、以下に説明する本発明の第１実施形態〜第４実施形態の全てに共通するバヨネットマウント３１とマウントリング３２によるレンズの取付構造であるが、以下では、さらに本発明に係るレンズの取付装置に特有の構造、すなわちバヨネットマウント３１に対するマウントリング３２の緩み防止構造についてそれぞれ説明する。
【００１９】
第１実施形態
図５は本発明の第１実施形態に係るカメラのレンズ取付装置を示す（Ａ）側面図、（Ｂ）正面図、図６は同じく第１実施形態に係るカメラのレンズ取付装置を示す図であって、図５（Ｂ）のＶＩ−ＶＩ線に沿う端面図である。
【００２０】
本実施形態に係るカメラのレンズ取付装置では、マウントリング３２の外周面の全周に、当該マウントリング３２の軸方向に沿う複数の鋸歯状ラチェット溝３２４が形成されている。また、カメラ本体１１のマウントリング３２の近傍には、マウントリング３２の鋸歯状ラチェット溝３２４に係合するラチェット爪３３が回動可能に支持されている。
【００２１】
このラチェット爪３３は、図６にその裏面から見た様子を示すように、引っ張りコイルバネ３３１により同図のＸ方向に常にバネ付勢されており、この方向Ｘを図５（Ａ）で示すとマウントリング３２の締め付け方向（時計回り）と同一方向となる。このバネ付勢により、ラチェット爪３３はマウントリング３２の鋸歯状ラチェット溝３２４と常に係合することになるが、マウントリング３２を締め付け方向Ｘに回動させると、ラチェット爪３３は引っ張りコイルバネ３３１の弾性に抗して先端の爪部分が鋸歯状ラチェット溝３２４を超えるように回動する。ただし、マウントリング３２を締め付け方向Ｘとは反対方向に回動させて緩めようとしたときは、引っ張りコイルバネ３３１の弾性に従って先端の爪部分が鋸歯状ラチェット溝３２４に係合し、これにより当該マウントリング３２の緩みを阻止することになる。
【００２２】
なお、図５（Ａ）及び図６に示すように、ラチェット爪３３にはレバー３３２が設けられており、マウントリング３２を緩めてレンズ２１を取り外す場合には、このレバー３３２を同図に示すＹ方向に動かし、爪部分を鋸歯状ラチェット溝３２４から離すことでマウントリング３２を容易に緩めることができる。
【００２３】
このように、本実施形態のカメラのレンズ取付装置によれば、レンズ２１の基端部に形成されたバヨネット爪２２を、バヨネットマウント３１とマウントリング３２との間に挟んだ状態で、バヨネットマウント３１に対してマウントリング３２を締め付け方向Ｘに回動させると、カメラ本体１１に回動可能に設けられたラチェット爪３３は、マウントリング３２の外周面に形成された鋸歯状ラチェット溝３２４を超えるように回動するが、マウントリング３２をきつく締め付けてしまえば、当該マウントリング３２を逆方向、すなわち緩む方向に回動させようとしてもラチェット爪３３が鋸歯状ラチェット溝３２４に係合するので、マウントリング３２の緩みが阻止される。これにより、カメラ本体１１又はレンズ２１に振動などが加わってもバヨネットマウント３１とマウントリング３２との緩みが防止され、レンズ２１を強固に保持することができる。
【００２４】
なお、ラチェット爪３３のレバー３３２をＹ方向に操作してラチェット爪３３と鋸歯状ラチェット溝３２４との係合を解いた状態でマウントリング３２を緩めることで、カメラ本体１１からレンズ２１を容易に取り外すことができる。
【００２５】
第２実施形態
図７は本発明の第２実施形態に係るカメラのレンズ取付装置を示す（Ａ）側面図、（Ｂ）正面図である。
【００２６】
本実施形態に係るカメラのレンズ取付装置では、カメラ本体１１のマウントリング３２の近傍にブロック３４が設けられ、このブロック３４とマウントリング３２の外周面との間で当該マウントリング３２を締め付け方向とは反対方向に向かって鋭利となる楔状隙間３５が形成される。また、この楔状隙間３５に係合するとともに、ゴムなどの弾性を有する材料により形成された楔状部材３６が、連結棒３８を介して操作レバー３７に連結されている。
【００２７】
操作レバー３７は、カメラ本体１１に回動可能に設けられ、同図に示すＸ方向に回動させると楔状部材３６が楔状隙間３５に係合し、Ｙ方向に回動させると楔状部材３６を楔状隙間３５から引き抜くことができる。なお、同図に示す３９は操作レバー３７のストッパである。
【００２８】
このように、本実施形態のカメラのレンズ取付装置によれば、レンズ２１の基端部に形成されたバヨネット爪２２を、バヨネットマウント３１とマウントリング３２との間に挟んだ状態で、バヨネットマウント３１に対してマウントリング３２を締め付け方向Ｘに回動させて極力きつく締め付ける。
【００２９】
こののち、操作レバー３７をＸ方向に回動させて楔状部材３６を楔状隙間３５に係合させれば、マウントリング３２を緩める方向に回動させようとしても楔状部材３６が楔状隙間３５に食い込むこととなるので、マウントリング３２の緩みを阻止することができる。これにより、カメラ本体１１又はレンズ２１に振動などが加わってもバヨネットマウント３１とマウントリング３２との緩みが防止され、レンズ２１を強固に保持することができる。
【００３０】
なお、操作レバー３７をＹ方向に回動させて楔状部材３６を楔状隙間３５から引き抜いたのち、マウントリング３２を緩めれば、カメラ本体１１からレンズ２１を容易に取り外すことができる。
【００３１】
第３実施形態
図８は本発明の第３実施形態に係るカメラのレンズ取付装置を示す（Ａ）側面図、（Ｂ）正面図である。
【００３２】
本実施形態に係るカメラのレンズ取付装置では、カメラ本体１１に固定され、マウントリング３２の回動範囲において、かつマウントリング３２の外周面に沿って係止用パネル４０が設けられている。この係止用パネル４０には、マウントリング３２の外周面に固定された回動レバー４３が通過可能な長孔４０１が形成されている。また、マウントリング３２に固定された回動レバー４３は、マウントリング３２に固定された軸部４３１と、当該軸部４３１にネジなどにより螺合して係止用パネル４０に圧着する先端部４３２とから構成されている。なお、回動レバー４３は、マウントリング３２の回動範囲と同じ範囲を回動するので、軸部４３１が通過する係止用パネル４０の長孔４０１も、少なくともこの回動範囲にわたって形成されている。
【００３３】
このように、本実施形態のカメラのレンズ取付装置によれば、レンズ２１の基端部に形成されたバヨネット爪２２を、バヨネットマウント３１とマウントリング３２との間に挟んだ状態で、バヨネットマウント３１に対してマウントリング３２を締め付け方向Ｘに回動させて極力きつく締め付ける。
【００３４】
そして、回動レバー４３の先端部４３２を軸部４３１に締め付けて係止用パネル４０に圧着させる。これにより、マウントリング３２を緩める方向に回動させようとしても回動レバー４３の先端部４３２と係止用パネル４０とが圧着されているので、マウントリング３２の緩みを阻止することができる。これにより、カメラ本体１１又はレンズ２１に振動などが加わってもバヨネットマウント３１とマウントリング３２との緩みが防止され、レンズ２１を強固に保持することができる。
【００３５】
なお、回動レバー４３の先端部４３２を緩めて係止用パネル４０との圧着を解除すれば、カメラ本体１１からレンズ２１を容易に取り外すことができる。
【００３６】
第４実施形態
図９は本発明の第４実施形態に係るカメラのレンズ取付装置を示す（Ａ）側面図、（Ｂ）正面図である。
【００３７】
本実施形態に係るカメラのレンズ取付装置では、マウントリング３２の外周面には後述するボールプランジャー４１が係合可能な複数の係合凹部４２が形成されている。本例では、上述した第１実施形態のラチェット溝３２４と同じように、マウントリング３２の軸方向に沿って複数の溝状の係合凹部４２が形成されている。また、カメラ本体１１のマウントリング３２の近傍には、上述した係合凹部４２に係合可能なボールプランジャー４１が、マウントリング３２に向かって弾性付勢された状態で設けられている。
【００３８】
このように、本実施形態のカメラのレンズ取付装置によれば、レンズ２１の基端部に形成されたバヨネット爪２２を、バヨネットマウント３１とマウントリング３２との間に挟んだ状態で、バヨネットマウント３１に対してマウントリング３２を締め付け方向Ｘに回動させると、ボールプランジャー４１はマウントリング３２の係合凹部４２を超えながら出没するが、マウントリング３２をきつく締め付けてしまえば、当該マウントリング３２を逆方向（すなわち、緩む方向Ｙ）に回動させようとしてもボールプランジャー４１が係合凹部４２に係合し、マウントリング３２の緩みを阻止する。これにより、カメラ本体１１又はレンズ２１に振動などが加わってもバヨネットマウント３１とマウントリング３２との緩みが防止され、レンズ２１を強固に保持することができる。
【００３９】
なお、大きな力をもってマウントリング３２を緩めれば、カメラ本体１１からレンズ２１を取り外すことができる。
【００４０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４１】
【発明の効果】
以上述べたように本発明によれば、カメラ本体に対してレンズを強固に取り付けることができるカメラのレンズ取付装置を提供することができる。
【図面の簡単な説明】
【図１】本発明の実施形態に係るカメラを示す正面図である。
【図２】本発明の実施形態に係るカメラ本体のレンズ装着部を示す斜視図である。
【図３】本発明の実施形態に係るレンズの基端部を示す（Ａ）正面図、（Ｂ）側面図である。
【図４】本発明の実施形態に係るカメラ本体（バヨネットマウント及びマウントリング）とレンズ基端部を示す断面図である。
【図５】本発明の第１実施形態に係るカメラのレンズ取付装置を示す（Ａ）側面図、（Ｂ）正面図である。
【図６】本発明の第１実施形態に係るカメラのレンズ取付装置を示す図であって、図５（Ｂ）のＶＩ−ＶＩ線に沿う端面図である。
【図７】本発明の第２実施形態に係るカメラのレンズ取付装置を示す（Ａ）側面図、（Ｂ）正面図である。
【図８】本発明の第３実施形態に係るカメラのレンズ取付装置を示す（Ａ）側面図、（Ｂ）正面図である。
【図９】本発明の第４実施形態に係るカメラのレンズ取付装置を示す（Ａ）側面図、（Ｂ）正面図である。
【符号の説明】
１…カメラ
１１…カメラ本体
１２…装着部
２１…レンズ
２２…バヨネット爪
３…取付装置
３１…バヨネットマウント
３１１…ネジ
３２…マウントリング
３２１…ネジ
３２２…開口部
３２３…切り欠き部
３２４…鋸歯状ラチェット溝
３３…ラチェット爪
３３１…引っ張りコイルバネ
３３２…レバー
３４…ブロック
３５…楔状隙間
３６…楔状部材
３７…操作レバー
３８…連結棒
３９…ストッパ
４０…係止用パネル
４０１…長孔
４１…ボールプランジャー
４２…係合凹部
４３…回動レバー
４３１…軸部
４３２…先端部
【図１】
2004271690.tif 000003
【図２】
2004271690.tif 000004
【図３】
2004271690.tif 000005
【図４】
2004271690.tif 000006
【図５】
2004271690.tif 000007
【図６】
2004271690.tif 000008
【図７】
2004271690.tif 000009
【図８】
2004271690.tif 000010
【図９】
2004271690.tif 000011